(57)【要約】      （修正有）【課題】大小２種類の挟み部を切り替えて効率的に使用できる洗濯バサミを提供する。【解決手段】洗濯バサミ１は、第１挟み部１０、第２挟み部２０、第１挟み部又は第２挟み部の何れか一方の挟み部を閉状態としておくために一方の挟み部の先端を内側に向けて付勢させるバネ部材３０、及び、第１挟み部と第２挟み部との間に設けられ、バネ部材を保持する保持部４０を備える。保持部は、バネ部材による付勢力を第１挟み部又は第２挟み部の何れか一方に付与することをスライド移動により切り替え可能に構成され、バネ部材の付勢力が第１挟み部に付与される場合には第２挟み部の内側への操作に応じて第１挟み部が閉状態から開状態となり、バネ部材の付勢力が第２挟み部に付与される場合には第１挟み部の内側への操作に応じて第２挟み部が閉状態から開状態となる。【選択図】図５
0003216821.tif 000002
【実用新案登録請求の範囲】
【請求項１】
第１挟み部と、
前記第１挟み部とは逆側に位置する第２挟み部と、
前記第１挟み部又は前記第２挟み部の何れか一方の挟み部を閉状態としておくために当該一方の挟み部の先端を内側に向けて付勢させるバネ部材と、
前記第１挟み部と前記第２挟み部との間に設けられ、前記バネ部材を保持する保持部と、
を備え、
前記保持部は、前記バネ部材による付勢力を前記第１挟み部又は前記第２挟み部の何れか一方に付与することを切り替え可能に構成されており、前記バネ部材による付勢力が前記第１挟み部に付与される場合には、前記第２挟み部の内側への操作に応じて前記第１挟み部は閉状態から開状態となり、前記バネ部材による付勢力が前記第２挟み部に付与される場合には、前記第１挟み部の内側への操作に応じて前記第２挟み部は閉状態から開状態となる、洗濯バサミ。
【請求項２】
前記第２挟み部の先端間の最大離間距離が前記第１挟み部の先端間の最大離間距離よりも大きい、請求項１に記載の洗濯バサミ。
【請求項３】
前記保持部は、前記バネ部材の付勢力を付与するバネ先端が前記第１挟み部側と前記第２挟み部側との間でスライド移動可能なように前記バネ部材を保持し、前記バネ部材は、当該スライド移動後に前記バネ先端を軸として回動可能である、請求項１又は請求項２に記載の洗濯バサミ。
【請求項４】
前記バネ部材は、一部が欠けた円環形状を呈し、一対のバネ先端を有し、
前記保持部には、前記バネ部材の前記一対のバネ先端がスライド移動可能な溝がそれぞれ設けられている、請求項１〜請求項３の何れか１項に記載の洗濯バサミ。
【考案の詳細な説明】
【技術分野】
【０００１】
本考案は、洗濯バサミに関する。
【背景技術】
【０００２】
特許文献１及び特許文献２には、大きさの異なる大小２種類の洗濯バサミを有する構成が開示されている。このような洗濯バサミは、例えばタオルケットなどの比較的大きめの洗濯物を物干し竿に吊り掛けて干す場合、洗濯物の上部を大きい洗濯バサミで物干し竿に止め、洗濯物の側端部を複数の箇所において小さい洗濯バサミで止め、風による洗濯物の移動や落下等を防止するために用いることができる。また、特許文献３には、反転型の洗濯バサミが開示されている。
【先行技術文献】
【特許文献】
【０００３】
【特許文献１】特開２００７−０１４４１９号公報
【特許文献２】登録実用新案第３１４６３００号公報
【特許文献３】特開２００９−１８３６５８号公報
【考案の概要】
【考案が解決しようとする課題】
【０００４】
しかしながら、特許文献１及び特許文献２に示す洗濯バサミでは、洗濯物の大きさに応じて大きさの異なる２種類の洗濯バサミの一方だけを使用して洗濯物を止める場合、他方の洗濯バサミを使用しないことになり、使用方法として効率的でないことがある。また、特許文献１等に記載の洗濯バサミ構成では、大きさの異なる２種類の洗濯バサミそれぞれを用意する必要があり、その分、その製造や設計等に手間がかかる。更に、従来の洗濯バサミでは、挟み部の一部が欠けてしまった場合、他の部分（例えば操作部）が壊れていなくても洗濯バサミとしては使用できなくなってしまう。そこで、より効率的に使用することができる洗濯バサミの実現が望まれている。
【０００５】
本考案は、より効率的に使用することができる洗濯バサミを開示することを目的とする。
【課題を解決するための手段】
【０００６】
本考案の一形態に係る洗濯バサミは、第１挟み部と、第１挟み部とは逆側に位置する第２挟み部と、第１挟み部又は第２挟み部の何れか一方の挟み部を閉状態としておくために当該一方の挟み部の先端を内側に向けて付勢させるバネ部材と、第１挟み部と第２挟み部との間に設けられ、バネ部材を保持する保持部と、を備えている。保持部は、バネ部材による付勢力を第１挟み部又は第２挟み部の何れか一方に付与することを切り替え可能に構成されており、バネ部材による付勢力が第１挟み部に付与される場合には、第２挟み部の内側への操作に応じて第１挟み部は閉状態から開状態となり、バネ部材による付勢力が第２挟み部に付与される場合には、第１挟み部の内側への操作に応じて第２挟み部は閉状態から開状態となる。
【考案の効果】
【０００７】
本考案によれば、洗濯バサミをより効率的に使用することができる。
【図面の簡単な説明】
【０００８】
【図１】図１の（ａ）は、本考案の一実施形態に係る洗濯バサミの第１態様の閉状態を示す斜視図であり、図１の（ｂ）は、その第１態様の開状態を示す斜視図である。
【図２】図２の（ａ）は、図１に示す洗濯バサミの第１態様の正面図であり、図２の（ｂ）はその平面図であり、図２の（ｃ）はその背面図であり、図２の（ｄ）はその左側側面図であり、図２の（ｅ）はその右側側面図であり、図２の（ｆ）はその底面図である。
【図３】図３の（ａ）は、本考案の一実施形態に係る洗濯バサミの第２態様の閉状態を示す斜視図であり、図３の（ｂ）は、その第２態様の開状態を示す斜視図である。
【図４】図４の（ａ）は、図３に示す洗濯バサミの第２態様の正面図であり、図４の（ｂ）はその平面図であり、図４の（ｃ）はその背面図であり、図４の（ｄ）はその左側側面図であり、図４の（ｅ）はその右側側面図であり、図４の（ｆ）はその底面図である。
【図５】図５の（ａ）から（ｅ）は、本考案の一実施形態に係る洗濯バサミを図１に示す第１態様から図３に示す第２態様に変換させる際の動きを模式的に示す斜視図である。
【考案を実施するための形態】
【０００９】
[本願考案の実施形態の説明]
最初に本願考案の実施形態の内容を列記して説明する。本願考案に係る洗濯バサミは、  第１挟み部と、第１挟み部とは逆側に位置する第２挟み部と、第１挟み部又は第２挟み部の何れか一方の挟み部を閉状態としておくために当該一方の挟み部の先端を内側に向けて付勢させるバネ部材と、第１挟み部と第２挟み部との間に設けられ、バネ部材を保持する保持部と、を備えている。保持部は、バネ部材による付勢力を第１挟み部又は第２挟み部の何れか一方に付与することを切り替え可能に構成されており、バネ部材による付勢力が第１挟み部に付与される場合には、第２挟み部の内側への操作に応じて第１挟み部は閉状態から開状態となり、バネ部材による付勢力が第２挟み部に付与される場合には、第１挟み部の内側への操作に応じて第２挟み部は閉状態から開状態となる。
【００１０】
上記の洗濯バサミでは、バネ部材を保持する保持部が、バネ部材による付勢力を第１挟み部又は第２挟み部の何れか一方に付与することを切り替え可能に構成されており、バネ部材による付勢力が第１挟み部に付与される場合には、第２挟み部の内側への操作に応じて第１挟み部は閉状態から開状態となり、バネ部材による付勢力が第２挟み部に付与される場合には、第１挟み部の内側への操作に応じて第２挟み部は閉状態から開状態となるように構成されている。この場合、保持部でのバネ部材の切り替えにより、洗濯バサミの挟み部の開閉操作を行うための操作部をもう１つの挟み部としても機能させることができるため、洗濯バサミをより効率的に使用することができる。
【００１１】
上記の洗濯バサミでは、第２挟み部の先端間の最大離間距離が第１挟み部の先端間の最大離間距離よりも大きくてもよい。この場合、１つの洗濯バサミに対して、大小２種類の洗濯バサミの機能を付与することが可能となる。また、第１挟み部の先端間の最大離間距離と第２挟み部の先端間の最大離間距離とが同じであってもよい。この場合は、１つの洗濯バサミに対して、同一種類の２つの洗濯バサミ機能を付与することができ、例え一方の挟み部が欠ける等しても、他方の挟み部を使用することができるため、洗濯バサミとして継続して使用することができる。なお、この点は、上述した大小２種類の洗濯バサミの場合も同様である。
【００１２】
上記の洗濯バサミでは、保持部は、バネ部材の付勢力を付与するバネ先端が第１挟み部側と第２挟み部側との間でスライド移動可能なようにバネ部材を保持し、バネ部材は、当該スライド移動後にバネ先端を軸として回動可能であってもよい。この場合、１つの洗濯バサミに２つ以上の洗濯バサミ機能を持たせる切り替え構成を簡易な構造で実現することができる。
【００１３】
上記の洗濯バサミでは、バネ部材は、一部が欠けた円環形状を呈し、一対のバネ先端を有し、保持部には、バネ部材の一対のバネ先端がスライド移動可能な溝がそれぞれ設けられていてもよい。この場合、１つの洗濯バサミに２つ以上の洗濯バサミ機能を持たせる切り替え構成を簡易な構造で実現することができる。
【００１４】
[本願考案の実施形態の詳細]
以下、本考案の実施形態について、図面を参照しながら詳細に説明する。なお、図面の説明において同一要素には同一符号を付し、重複する説明は省略する場合がある。
【００１５】
最初に、本考案の一実施形態に係る洗濯バサミ１の構成について、図１〜図４を参照して説明する。図１の（ａ）は、洗濯バサミ１の第１態様の閉状態を示す斜視図であり、図１の（ｂ）は、その第１態様の開状態を示す斜視図である。図２は、図１に示す洗濯バサミ１の第１態様（閉状態）の六面図である。図３の（ａ）は、洗濯バサミ１の第２態様の閉状態を示す斜視図であり、図３の（ｂ）は、その第２態様の開状態を示す斜視図である。図４は、図３に示す洗濯バサミ１の第２態様（閉状態）の六面図である。洗濯バサミ１は、例えば図１に示すように、第１挟み部１０、第２挟み部２０、バネ部材３０及び保持部４０を備えて構成されている。洗濯バサミ１では、第１挟み部１０により対象物（洗濯物等）を挟み込む場合（「第１態様」ともいう）、第２挟み部２０が第１挟み部１０の開閉を行うための操作部として機能し、第２挟み部２０を内側に向かって操作することにより第１挟み部１０が内側に付勢された閉状態（図１の（ａ）部を参照）から開状態（図１の（ｂ）部を参照）へと回動軸Ｇを中心として回動するようになっている。
【００１６】
また、洗濯バサミ１は、詳細については後述するが、図３に示すように、保持部４０によって保持されるバネ部材３０を別の配置箇所（反転状態）に移動させることができる切り替え構成を有している。洗濯バサミ１では、この切り替えにより、第２挟み部２０により対象物（洗濯物等）を挟み込むことができ、この場合（「第２態様」ともいう）、第１挟み部１０が第２挟み部２０の開閉を行うための操作部として機能し、第１挟み部１０を内側に向かって操作することにより第２挟み部２０が内側に付勢された閉状態（図３の（ａ）部を参照）から開状態（図３の（ｂ）部を参照）へと回動軸Ｇを中心として回動するようになっている。このような切り替え機能を有する洗濯バサミ１の第１挟み部１０、第２挟み部２０及び保持部４０は、例えばプラスチックなどから形成され、バネ部材３０は、例えば金属などから形成される。バネ部材３０は、例えば一部が欠けた円環形状を呈し、一対の先端３１，３２（バネ先端）を有する。バネ部材３０は、これらバネ先端３１，３２がやや外側に広がるように保持部４０に保持されるため、保持部４０と一体となっている第１挟み部１０又は第２挟み部２０の先端を内側に付勢させる。
【００１７】
続いて、洗濯バサミ１の構成について、より詳細に説明する。図１及び図２に示すように、第１挟み部１０は、それぞれが直線状に伸びる一対の挟み片１１，１２を含んで構成される。一対の挟み片１１，１２は、両者の間に所定の角度が形成されるように位置している。一対の挟み片１１，１２を有する第１挟み部１０は、第１態様では、バネ部材３０の先端３１，３２が一対の挟み片１１，１２の回動軸Ｇよりも先端側を内側に向かって付勢することにより、一対の挟み片１１，１２の先端１３，１４を互いに押圧させ、このバネ力により、挟み込まれた対象物（洗濯物等）をその間に保持することができるようになっている。
【００１８】
第２挟み部２０は、それぞれが略円弧状に伸びる一対の挟み片２１，２２を含んで構成され、第１態様では、第１挟み部１０の開閉操作の操作部として機能する。第１態様では、第２挟み部２０にはバネ部材３０による付勢力が直接的には付与されておらず、第２挟み部２０の挟み片２１，２２の先端２３，２４付近を内側に向かって押し込むことにより、回動軸Ｇを軸中心として一対の挟み片１１，１２を広げる方向に回動させ、第１挟み部１０を開かせる。なお、第１挟み部１０の挟み片１１と第２挟み部２０の挟み片２１とは一体的に形成することができ、第１挟み部１０の挟み片１２と第２挟み部２０の挟み片２２とは一体的に形成することができ、これら一体的に形成された２つの部材が回動軸Ｇを中心として回動できるように相互に組み付けられる。また、バネ部材３０は、これら第１挟み片１１，１２と第２挟み片２１，２２との境界領域の平面において、その一部が支持される構成であってもよい。
【００１９】
保持部４０は、２つの先端３１，３２を有する略円環形状のバネ部材３０をスライド移動及び回動動作できる状態で保持する部材であり、第１挟み部１０と第２挟み部２０との間に（より具体的には、その一面側に）設けられている。保持部４０は、バネ部材３０（先端３１，３２）を第１態様の位置に配置させるための切欠き４１と、バネ部材３０（先端３１，３２）を第２態様の位置に配置させるための切欠き４２と、切欠き４１及び切欠き４２を繋ぐスライド溝４３とを、両側にそれぞれ有している。保持部４０は、図１に示すように、第１態様では、バネ部材３０の先端３１，３２を切欠き４１に位置させて、逆側の円環部分が第２挟み部２０側に位置するようにバネ部材３０を保持する。一方、保持部４０は、図３に示すように、第２態様では、バネ部材３０の先端３１，３２を切欠き４２に位置させて、逆側の円環部分が第１挟み部１０側に位置するようにバネ部材３０を保持する。
【００２０】
各切欠き４１，４２は、バネ部材３０が第１挟み部１０又は第２挟み部２０の面と平行な状態ではバネ部材３０のスライド移動をロックするように構成されており、一方、バネ部材３０が第１挟み部１０又は第２挟み部２０の面に対して立ち上がる状態ではバネ部材３０のスライド移動（図５の（ｃ）から（ｄ）への移動又はその逆）を可能とするように構成されている。保持部４０は、第１挟み部１０及び第２挟み部２０と同様に一対の保持片４４，４５から構成することができ、一方の保持片４４は、挟み片１１及び２１を一体とした部材の上面に設けられ、他方の保持片４５は、挟み片１２及び２２を一体とした部材の上面に設けられてもよい。なお、保持部４０は、第１挟み部１０や第２挟み部２０と一体に構成されていなくてもよいが、バネ部材３０による付勢力を第１挟み部１０や第２挟み部２０に伝達できる構成であればよい。
【００２１】
また、バネ部材３０が第２態様に変更された場合には、図３及び図４に示すように、第２挟み部２０は、バネ部材３０の先端３１，３２が一対の挟み片２１，２２の回動軸Ｇよりもやや先端側の部分を内側に向かって付勢することになり、一対の挟み片２１，２２の先端２３，２４を互いに押圧させ、このバネ力により、挟み込まれた対象物をその間に保持することができるようになる。また、第２態様では、第１挟み部１０にはバネ部材３０による付勢力が直接的には付与されておらず、第１挟み部１０は、第２挟み部２０の開閉操作の操作部として機能する。そして、第１挟み部１０の挟み片１１，１２の先端１３，１４付近を内側に向かって押し込むことにより、回動軸Ｇを軸中心として一対の挟み片２１，２２を広げる方向に回動させ、第２挟み部１０を開かせる（図３の（ｂ）参照）。
【００２２】
次に、このような構成を有する洗濯バサミ１を、第１態様から第２態様に変換させる動作について、図５を参照して説明する。図５の（ａ）から（ｅ）は、洗濯バサミ１を図１に示す第１態様から図３に示す第２態様に変換させる際の動きを順に示す斜視図である。図５の（ａ）に示すように、まず第１態様の洗濯バサミ１のバネ部材３０を第２挟み部２０の面方向と平行な状態から、図中の矢印で示すように、洗濯バサミ１の使用者が立ち上がり方向へと引き上げる（図５の（ｂ）を参照）。続いて、バネ部材３０が引き上げられた洗濯バサミ１では第１挟み部１０への付勢力の付与が解除された状態であり、図５の（ｂ）に示すように、使用者は第２挟み部２０の先端２３，２４を内側に向かって押圧する。
【００２３】
続いて、図５の（ｃ）に示すように、上述した押圧操作により第２挟み部２０の先端２３，２４が互いに接する状態（第１挟み部１０の先端１３，１４が離間する状態）となると、バネ部材３０を図示右斜め上に向かって使用者が引き上げるように移動させる。この移動動作により、バネ部材３０の先端３１，３２が保持部４０の切欠き４１からスライド溝４３を通って切欠き４２へと移動し、バネ部材３０の配置箇所が変更される。そして、図５の（ｄ）に示す位置までバネ部材３０が移動すると、バネ部材３０を第２挟み部２０とは逆の第１挟み部１０側に押し倒すように折り畳み、図５の（ｅ）に示す第２態様となる。この際、バネ部材３０はその一部が第１挟み部１０の長手方向の略中央付近に設けられた窪みの底面上に支持される。第２態様では、第１態様とは逆に、第２挟み部２０が洗濯バサミ１の挟み込みを奏する部分として機能し、第１挟み部１０が第２挟み部２０の操作部として機能する。より具体的には、この第２態様では、第１挟み部１０は第２挟み部２０の操作部として機能し、図３に示すように、第１挟み部１０にバネ部材３０による付勢力が直接的には付与されておらず、第１挟み部１０の挟み片１１，１２の先端１３，１４を内側に向かって押すことにより、回動軸Ｇを軸中心として一対の挟み片２１，２２を広げる方向に回動させ、第２挟み部２０を開かせることができる（図３の（ｂ）参照）。洗濯バサミ１では、第１挟み部１０の挟み片１１，１２（先端１３，１４）間の最大離間距離（図１の（ｂ）を参照）は、第２挟み部２０の挟み片２１，２２（先端２３，２４）間の最大離間距離（図３の（ｂ）を参照）よりも小さくなっており、第２挟み部２０では、第１挟み部１０で挟める対象物よりも大きい対象物を挟み混むことができるようになっている。なお、洗濯バサミ１の第２態様から第１態様への変更は、上述した操作を逆に行うことにより実行することができる。
【００２４】
以上、上記実施形態に係る洗濯バサミ１によれば、バネ部材３０を保持する保持部４０が、バネ部材３０による付勢力を第１挟み部１０又は第２挟み部２０の何れか一方に付与することを切り替え可能に構成されており、バネ部材３０による付勢力が第１挟み部１０に付与される場合（第１態様の場合）には、第２挟み部２０の内側への操作に応じて第１挟み部１０は閉状態（図１の（ａ）を参照）から開状態（図１の（ｂ）を参照）となる。一方、バネ部材３０による付勢力が第２挟み部２０に付与される場合（第２態様の場合）には、第１挟み部１０の内側への操作に応じて第２挟み部２０は閉状態（図３の（ａ）を参照）から開状態（図３の（ｂ）を参照）となる。このような洗濯バサミ１の構成によれば、挟み部の開閉操作を行うための操作部をもう１つの挟み部としても機能させることができるため、洗濯バサミをより効率的に使用することができる。
【００２５】
洗濯バサミ１では、第１挟み部１０の先端１３，１４間の最大離間距離が第２挟み部２０の先端２３，２４間の最大離間距離よりも小さい。このため、１つの洗濯バサミに対して、大小２種類の洗濯バサミの機能を付与することが可能である。また、１つの洗濯バサミに対して、２つの洗濯バサミ機能を付与することができるため、例え一方の挟み部が欠ける等しても、他方の挟み部を使用することができるため、洗濯バサミとして継続して使用することができる。
【００２６】
洗濯バサミ１では、保持部４０は、バネ部材３０の先端３１，３２が第１挟み部１０側と第２挟み部２０側との間でスライド移動可能なようにバネ部材３０を保持し、バネ部材３０は、当該スライド移動後に先端３１，３２を軸として回動可能である。このため、１つの洗濯バサミに２つ以上の洗濯バサミ機能を持たせる構成を簡易な構造で実現することができる。
【００２７】
洗濯バサミ１では、バネ部材３０は、一部が欠けた円環形状であり、２つの先端３１，３２を有し、保持部４０には、バネ部材３０の先端３１，３２がスライド移動可能なスライド溝４３が設けられている。このため、１つの洗濯バサミに２つ以上の洗濯バサミ機能を持たせる構成を簡易な構成で実現することができる。
【００２８】
以上、本考案をその実施形態に基づき説明したが、本考案は上記の実施形態に限定されるものではなく、種々の変更を行うことができる。例えば、上記実施形態では、第２挟み部２０の大きさが第１挟み部１０の大きさよりも大きい例を示したが、第１挟み部１０の大きさが第２挟み部２０の大きさより大きい構成でもよい。また、第１挟み部１０の大きさと第２挟み部２０の大きさとが同じ、つまり、第１挟み部１０の先端１３，１４間の最大離間距離と第２挟み部２０の先端２３，２４間の最大離間距離とが同じであってもよい。この場合であっても、１つの洗濯バサミに対して、他種類又は同一種類の２つの洗濯バサミ機能を付与することができ、例え一方の挟み部が欠ける等しても、他方の挟み部を使用することができるため、洗濯バサミとして継続して使用することができる。
【符号の説明】
【００２９】
１…洗濯バサミ、１０…第１挟み部、１１，１２…挟み片、１３，１４…先端、２０…第２挟み部、２１，２２…挟み片、２３，２４…先端、３０…バネ部材、３１，３２…先端、４０…保持部、４１，４２…切欠き、４３…スライド溝、Ｇ…回動軸。
【図１】
0003216821.tif 000003
【図２】
0003216821.tif 000004
【図３】
0003216821.tif 000005
【図４】
0003216821.tif 000006
【図５】
0003216821.tif 000007
【手続補正書】
【提出日】平成30年4月25日(2018.4.25)
【手続補正１】
【補正対象書類名】実用新案登録請求の範囲
【補正対象項目名】全文
【補正方法】変更
【補正の内容】
【実用新案登録請求の範囲】
【請求項１】
第１挟み部と、
前記第１挟み部とは逆側に位置する第２挟み部と、
前記第１挟み部又は前記第２挟み部の何れか一方の挟み部を閉状態としておくために当該一方の挟み部の先端を内側に向けて付勢させるバネ部材と、
前記第１挟み部と前記第２挟み部との間に設けられ、前記バネ部材を保持する保持部と、
を備え、
前記バネ部材は、一部が欠けた円環形状を呈し、一対のバネ先端を有し、
前記保持部には、前記バネ部材による付勢力が前記第１挟み部に付与される場合に前記一対のバネ先端が位置する第１切欠きと、前記バネ部材による付勢力が前記第２挟み部に付与される場合に前記一対のバネ先端が位置する第２切欠きと、前記一対のバネ先端が前記第１切欠き及び前記第２切欠き間でスライド移動可能な溝とがそれぞれ設けられており、当該バネ部材の前記一対のバネ先端が前記第１切欠き及び前記第２切欠き間で前記溝をスライド移動することにより、前記バネ部材による付勢力を前記第１挟み部又は前記第２挟み部の何れか一方に付与することを切り替え可能に構成されており、
前記バネ部材による付勢力が前記第１挟み部に付与される場合には、前記第２挟み部の内側への操作に応じて前記第１挟み部は閉状態から開状態となり、前記バネ部材による付勢力が前記第２挟み部に付与される場合には、前記第１挟み部の内側への操作に応じて前記第２挟み部は閉状態から開状態となる、洗濯バサミ。
【請求項２】
前記第２挟み部の先端間の最大離間距離が前記第１挟み部の先端間の最大離間距離よりも大きい、請求項１に記載の洗濯バサミ。
【請求項３】
前記保持部は、前記バネ部材の付勢力を付与するバネ先端が前記第１挟み部側と前記第２挟み部側との間でスライド移動可能なように前記バネ部材を保持し、前記バネ部材は、当該スライド移動後に前記バネ先端を軸として回動可能である、請求項１又は請求項２に記載の洗濯バサミ。